【手続補正書】
【提出日】平成16年10月21日(2004.10.21)
【手続補正１】
【補正対象書類名】明細書
【補正対象項目名】全文
【補正方法】変更
【補正の内容】
【書類名】明細書
【発明の名称】疑似接着情報記録用紙
【特許請求の範囲】
【請求項１】基紙の表裏面の少なくとも一方の面に、通常の状態では接着せずに所定の条件が付与されると剥離可能に疑似接着する疑似接着剤層が設けられている疑似接着情報記録用紙であって、
前記基紙が、パルプ原料中に雑誌古紙パルプを３０〜１００重量％含む再生紙であることを特徴とする疑似接着情報記録用紙。
【請求項２】前記基紙中または疑似接着剤層中に、インクジェットプリンタ用インクを定着するカチオン物質が含有せしめられている請求項１記載の疑似接着情報記録用紙。
【請求項３】カット紙に加工され、カット紙給紙するタイプのプリンタまたはシーラーで使用される請求項１または２記載の疑似接着情報記録用紙。
【発明の詳細な説明】
【０００１】
【発明の属する技術分野】
本発明は、重ね合わせ面に対して圧力などの所定の条件を加えると疑似接着剤層を介して接着するが、必要時に容易に剥離できる機能を有する疑似接着情報記録用シートに関する。
【０００２】
【従来の技術】
近年、環境保護の見地から古紙利用の要請が高まっており、インクジェット用紙や印刷用紙等の情報用紙においても、古紙パルプ１００％を原料とする紙が登場してきている。しかしながら、この分野で実用化されているのは、新聞紙やチラシ紙等のように多種類の夾雑物が出にくい上質古紙を処理して製造した上質古紙パルプを原料としたものであり、雑誌・書物を含む雑誌古紙を再生してなる雑誌古紙パルプは利用されていない。しかしながら、情報用紙分野においても、環境保護の観点から、また、雑誌・書物等を含む雑誌古紙は安価であることから、その利用が望まれている。
【０００３】
一方、個人情報などの各種情報を隠蔽するように折り畳み、重ね合わせた部分を疑似接着して郵送し、受取人が疑似接着部分を剥離して隠蔽情報を読み取る葉書システムが普及している。葉書システムは、会社が従業員にあるいは銀行やクレジット会社が顧客に親展性を有する情報を連絡する場合に使用されることが多く、親展性情報の漏洩防止性（隠蔽性）や宛名印刷等の印字・印刷が高速にできることが重要である。
【０００４】
このような葉書システムには、通常、基紙の表裏面の少なくとも一方の面に疑似接着剤層を有し、高速インクジェットプリンタ等で情報の記録が可能な、疑似接着情報記録用紙が使用される。かかる疑似接着情報用紙においても上質古紙パルプ１００％を原料パルプとする基紙とした例があり実用化もされている。
【０００５】
【特許文献】
特開平１１−１６１１８０
【０００６】
【発明が解決しようとする課題】
しかしながら、かかる上質古紙パルプ１００％を原料とする疑似接着情報記録用紙は、一般的なバージンパルプを原料とする基紙と比較すると、不透明度が高く隠蔽性に優れるものではあるが、それでも現在の葉書システム等の利用において隠蔽情報が透けて見えるという事故が多々生じている。さらに、かかる疑似接着情報記録用紙では、隠蔽情報の印刷や用紙同士の疑似接着にあたって、ＮＩＰプリンタや圧着シーラーを用いるが、従来の上質古紙パルプ１００％を主原料とする疑似接着情報記録用紙は、表面の摩擦係数が大きく、搬送トラブル（特にカット仕様の場合）を生ずることがあった。
【０００７】
そこで、本発明の主たる課題は、安価な雑誌古紙を原料として、不透明度が高く隠蔽性に優れ、しかも、搬送トラブルの少ない、疑似接着情報記録用紙を提供することである。
【０００８】
【課題を解決するための手段】
上記課題を解決した本発明およびその作用効果は次記のとおりである。
＜請求項１記載の発明＞
基紙の表裏面の少なくとも一方の面に、通常の状態では接着せずに所定の条件が付与されると剥離可能に疑似接着する疑似接着剤層が設けられている疑似接着情報記録用紙であって、
前記基紙が、パルプ原料中に雑誌古紙パルプを３０〜１００重量％含む再生紙であることを特徴とする疑似接着情報記録用紙。
【０００９】
（作用効果）
雑誌古紙パルプを３０〜１００重量％含むパルプを主原料とした基紙を用いたことにより、より不透明度が高くなり隠蔽性の問題が改善される。
【００１０】
また、雑誌古紙を再生した雑誌古紙パルプを主原料とする基紙を利用するので、環境保護の見地から好ましい疑似接着情報記録用紙となるとともに疑似接着情報記録用紙のコストダウンが図られる。
【００１１】
＜請求項２記載の発明＞
前記基紙中または疑似接着剤層中に、インクジェットプリンタ用インクを定着するカチオン物質が含有せしめられている請求項１記載の疑似接着情報記録用紙。
【００１２】
（作用効果）
インクジェットプリンタによる印刷適性（インク乾燥性、にじみ具合）が、良好なものとなる。
【００１３】
＜請求項３記載の発明＞
カット紙に加工され、カット紙給紙するタイプのプリンタまたはシーラーで使用される請求項１または２記載の疑似接着情報記録用紙。
【００１４】
（作用効果）
カット給紙によるプリンタまたはシーラーで発生していた、搬送トラブルが改善される。
【００１５】
【発明の実施の形態】
次いで、本発明の実施の形態を以下に詳述する。
本発明は、基紙の表裏面の少なくとも一方の面に、通常の状態では接着せずに所定の条件が付与されると剥離可能に疑似接着する疑似接着剤層が設けられている疑似接着情報記録用紙である。
【００１６】
前記基紙は、雑誌古紙パルプを３０〜１００重量％含むパルプを主原料として製造する。従って、かかるパルプ以外の従来既知の各種添加剤を添加できる。なお、より好ましくは８０％〜１００％、特別には１００％として抄紙した再生紙とする。
【００１７】
また、本発明に従って、疑似接着情報記録用紙の基紙を、雑誌古紙を全原料として抄紙した再生紙とすると、予期せぬ次記の利点があることが判った。
【００１８】
（１）従来の上質古紙パルプ１００％を原料とした基紙と比較して、不透明度が高く、したがって隠蔽性に優れた基紙となる。いわゆる雑誌古紙では、上質古紙と比較して機械パルプの量が多く、また、繊維種については上質古紙よりも多様性を有するため、嵩が増し、繊維長分布がより平坦なカーブを描く。すなわち、繊維種の多様性により、長繊維と短繊維とのからみ、または、長繊維間に短繊維が入り込むことに等により、不透明度および地合が向上する。さらに、地合向上に関連して、カット紙とした場合に、各種プリンタおよびシーラーでの搬送性に優れたものとなる。
【００１９】
（２）また、高白色度が要求される雑誌・書物用の紙は填料含有量の多いので、その古紙が含有していた填料により填料配合量が少なくとも、不透明度が高く、情報の隠蔽性に優れたものが得られる。
【００２０】
（３）上質古紙と比較して雑誌古紙は非常に安価であるため、原料価格がコスト安となる。
【００２１】
一方、前記疑似接着剤としては、例えば、非剥離性接着剤（以下、接着基剤という）に、これに非親和性を示す充填剤を含有せしめて疑似接着力を付与した従来既知の疑似接着剤を用いることができる。前記接着基剤としては、ラテックス、具体的には天然ゴム、合成ゴム等の従来通常の接着基剤に使用されているものの中から任意に選択して使用することができるが、特に天然ゴムを無硫黄加硫し、メタアクリル酸メチルと混合した天然ゴムラテックス、天然ゴムにメタアクリル酸メチルをグラフト共重合させて得られた天然ゴムラテックス、アクリル変性ゴムラテックス、ゴムラテックスと保護コロイド系アクリル共重合エマルジョンとの混合物が、耐ブロッキング性、耐経時劣化等の点で好適である。
【００２２】
また、接着基剤に添加する充填剤としては、例えば、クレー、一次または二次凝集体を形成しているカルサイト系沈降性炭酸カルシウム、二次凝集体を形成しているアラゴナイト系沈降性炭酸カルシウム、炭酸カルシウム、スチレンビーズ、シリカ、合成微粒子シリカ、アミノ表面改質シリカ、ワックス表面処理シリカ、球状シリカ、通常のカルシウムや、亜鉛、マグネシウム、アルミニウムもしくはチタン等の金属の酸化物、水酸化物、炭酸塩、珪酸塩、またはこれらの混合物等が挙げられる。
【００２３】
基紙への疑似接着剤の塗工は、従来既知の塗工方法に従って塗工すればよい。例えば、ブレードコーター、カーテンコーター、ロッドコーターあるいはエアーナイフコーターといった塗工機でオフマシン塗工してもよいし、ゲートロールコーター、ビルブレードコーター、ロッドメタリングコーター、２ロールコーターあるいはスプレーコーター等の塗工機でオンマシン塗工してもよい。
【００２４】
疑似接着剤の塗工量としては、概ね３〜３０ｇ／ｍ2とするのが望ましい。３ｇ／ｍ2未満であると、所望の接着力が得られず意図しない剥離が生じやすくなり、３０ｇ／ｍ2を超えると、接着力が強くなりすぎて剥離することができなくなったり、塗工時に塗工ロールに糊粕が付着したりして、操業上および品質上のトラブルが生じやすくなる。
【００２５】
また、本発明においては、前記基紙中または疑似接着剤層中に、インクジェットプリンタ用インクを定着するカチオン物質を含有せしめるのが望ましい。かかるカチオン物質としては、従来既知のカチオン性のインク定着剤を用いることができる。このカチオン性インク定着剤は、水溶性あるいは水性エマルジョンタイプのものが使用されるが、サイズ度の調節の簡便さから水溶性タイプのものが好ましく用いられる。水溶性タイプのカチオン性樹脂のインク定着剤としては、例えばジシアンジアミド・ホルマリン重縮合物に代表されるジシアン系インク定着剤、ジシアンジアミド・ジエチレントリアミン重縮合物に代表されるポリアミン系インク定着剤、エピクロルヒドリン・ジメチルアミン付加重合物，ジメチルジアリルアンモニウムクロライド・ＳＯ2 共重合物，ジアリルアミン塩・ＳＯ2 共重合物，ジメチルジアリルアンモニウムクロライド重合物，アリルアミン塩の重合物，ジアルキルアミノエチル（メタ）アクリレート４級塩重合物等のポリカチオン系インク定着剤等が挙げられる。
【００２６】
カチオン性インク定着剤の配合量は特に限定されないが、基紙中に含有させる場合には、５％〜３０％が望ましく、疑似接着剤中に含有する場合には、１％〜２０％が望ましい。
【００２７】
さらには、本発明は、上記の疑似接着情報記録用紙をカット紙に加工してカット紙給紙するタイプのプリンタまたはシーラーで使用した場合には、従来の疑似接着情報記録用紙と異なり、搬送性時のトラブルが大幅に改善されているので、このような用途に特に好適である。
【００２８】
（基紙の製造方法について）
ここで、本発明に好適な基紙の製造方法について説明する。
図１は、雑誌古紙を原料とする再生紙製造フローを示している。本発明では、新聞紙、チラシのほか、雑誌古紙、書物等が混在した無選別古紙が使用される。原料古紙は、先ずパルパー等の機械攪拌式離解装置１に投入され、水等の溶解液中で離解され、繊維懸濁液とされる（離解工程）。
【００２９】
離解処理においては、水酸化ナトリウムや珪酸ナトリウム等のアルカリ剤を主体とする脱墨薬品（通常は界面活性剤のほか、珪酸ソーダ及び炭酸ソーダの少なくとも一方を含む緩衝材等を加える）を懸濁液に添加しアルカリソーキングを行うことができる。また、離解処理は、同種の又は異種の離解装置（高濃度パルパーと低濃度パルパーとの組合せ等）による複数段処理とすることもできる。
【００３０】
離解工程から得られた懸濁液は、次に夾雑物除去工程に移される。本実施形態の夾雑物除去工程は、除塵工程２およびフローテーション工程５から構成されている。除塵工程では、機械攪拌力により懸濁液中の未離解パルプ繊維が離解される（補助離解）とともに夾雑物が実質的に微細化されずに分離除去される。
【００３１】
かかる除塵処理２を経た懸濁液は直接または他の処理を介してフローテーター５に送られ、インキ・夾雑物がフローテーションにより除去される。フローテーター５としては公知のあらゆる装置を利用できる。ここで、除塵処理２を経た懸濁液を、必要に応じて比重差分離装置や、スクリーニング装置を介して夾雑物をある程度まで分離除去した後に、フローテーター５に供給することもできる。比重差分離装置としては所謂クリーナーを用いることができる。またスクリーニングには、ホールスクリーンやスリットスクリーンを用いることができ、また必要に応じて複数段、複数種のスクリーンを使用することができる。
【００３２】
かかる夾雑物除去処理を経た懸濁液は、漂白処理工程１０等を経て、より具体的には比重差分離工程、スクリーニングによるインキ・夾雑物の分離除去工程、脱水装置による脱水工程、機械的攪拌によりインキ・夾雑物を微細化し且つ懸濁液中に分散させる分散処理工程（所謂ニーダーまたはディスパーザーを使用できる）、過酸化水素等の漂白薬品の添加による漂白処理工程１０、残留するインキおよび夾雑物を更に分離除去するポストフローテーション工程、脱水処理工程および貯蔵処理工程等（これらの処理は適宜取捨選択できる）を順に経て古紙パルプとして、ペーパマシン等の仕向け先に供給できる。ペーパマシンに送る前に他のパルプと混合せしめてもよい。
【００３３】
（実施例）
本発明にかかる疑似接着情報記録用紙（実施例１〜５）と本発明とは異なる疑似接着情報記録用紙（比較例１〜３）とについて、隠蔽性、印刷適性、搬送性および経済性を比較し評価した。実施例および比較例にかかる疑似接着情報記録用紙は、米坪１００ｇ／ｍ2の基紙に、既知の疑似接着剤（天然ゴムラテックス系塗料）を塗工量８ｇ／ｍ2で塗工して疑似接着剤層を設けて作成した。各実施例および各比較例に用いた基紙の古紙配合割合は、結果とともに表１中に記載する。
【００３４】
なお、実施例および比較例の物性、評価項目の詳細は次記のとおりである。
［不透明度］ＪＩＳ  Ｐ  ８１３８に基づいて測定した。
［摩擦係数］ＪＩＳ  Ｐ  ８１３８に基づいて測定した。
［隠蔽性］疑似接着後に隠蔽情報が透けて見えるか否かを目視にて確認した。評価は、◎大変よい＞○良い＞△やや悪い＞×悪いの４段階で評価した。
［印刷適性］インクジェットプリンタで印字した後、印字部のにじみおよび乾燥性を確認した。この評価は、インク定着剤を含有せしめた実施例５および比較例３について評価した。評価は、◎大変よい＞○良い＞△やや悪い＞×悪いの４段階で評価した。
［搬送性］Ａ４サイズに裁断した実施例および比較例にかかる疑似接着情報記録用紙を、カット紙用レーザープリンタに１００枚連続して給紙して、紙つまりが生ずるか否かを目視にて確認した。評価は、◎大変よい＞○良い＞△やや悪い＞×悪いの４段階で評価した。
［経済性］上質古紙パルプ１００％を原料とした場合と比較して、経済的であるか否かを検討した。評価は、◎大変よい＞○良い＞△やや悪い＞×悪いの４段階で評価した。
【００３５】
【表１】
2004122451.tif 000001
【００３６】
表１からみてとれるように、本発明の実施例については、すべての評価項目で良い以上の結果となったのに対し、比較例では何れかの評価項目でやや悪いまたは悪いの評価がある結果となった。
【００３７】
【発明の効果】
以上詳述のとおり、本発明によれば、安価な雑誌古紙を原料として、不透明度が高く隠蔽性に優れ、しかも、搬送トラブルの少ない、疑似接着情報記録用紙が提供される。
【図面の簡単な説明】
【図１】
本発明に好適な基紙の製造方法の例を示すフロー図である。
【符号の説明】
１…機械攪拌式離解装置、２…除塵工程、５…フローテーター、１０…漂白処理工程。